(57)【要約】【課題】タッチパネル装置において複雑な形状の図柄を発光表示させることにある。【解決手段】タッチパネル装置１は、カバーガラス２と、基板１０，１０と、センサ電極１３，１３，…と、複数の配線部１６，１６，…と、遮光層２０と、を備えている。配線部１６，１６，…および遮光層２０の各々は、導電性および遮光性を有する第１材料からなる。遮光層２０には、第１材料が欠落した部分に図柄状の図柄部２１が少なくとも１つ設けられている。カバーガラス２の周縁部には、半透光性を有する半透光部４が設けられている。半透光部４は、カバーガラス２の厚み方向において各図柄部２１と重なっている。【選択図】図１
2020173595.tif 000002
【特許請求の範囲】
【請求項１】
光透過性を有するカバーガラスと、
表面が前記カバーガラスの裏面と対向するように配置された透明性を有する基板と、
前記基板に設けられた複数のセンサ電極と、
前記基板の周縁部に設けられ、各々が前記複数のセンサ電極の各々と電気的に接続された複数の配線部と、
前記基板の周縁部において前記複数の配線部と重ならない位置に配置された遮光層と、を備え、
前記複数の配線部および前記遮光層の各々は、導電性および遮光性を有する第１材料からなり、
前記遮光層には、前記第１材料が欠落した部分に図柄状の図柄部が少なくとも１つ設けられており、
前記カバーガラスの周縁部には、半透光性を有する半透光部が設けられており、
前記半透光部は、前記カバーガラスの厚み方向において前記図柄部と重なっている、タッチパネル装置。
【請求項２】
請求項１に記載のタッチパネル装置において、
前記カバーガラスの周縁部には、遮光性を有する暗色系の加飾部が設けられており、
前記加飾部は、前記厚み方向において前記複数の配線部と重なっており、
前記半透光部は、前記加飾部において前記加飾部の構成材料が欠落した部分に対応する位置に形成されている、タッチパネル装置。
【請求項３】
請求項１または２に記載のタッチパネル装置において、
前記半透光部は、前記カバーガラスの表面または裏面に形成された半透光性を有する暗色系のスモーク層により構成されている、タッチパネル装置。
【請求項４】
請求項１〜３のいずれか１項に記載のタッチパネル装置において、
前記基板は、第１基板と、前記厚み方向において前記第１基板に積層配置された第２基板と、を含み、
前記複数のセンサ電極は、前記第１基板に設けられた複数の第１センサ電極と、前記第２基板に設けられた複数の第２センサ電極と、を含み、
前記配線部は、前記第１基板に設けられかつ各々が前記複数の第１センサ電極の各々と電気的に接続された複数の第１配線部と、前記第２基板に設けられかつ各々が前記複数の第２センサ電極の各々と電気的に接続された複数の第２配線部と、を含み、
前記第１基板には、前記遮光層および前記図柄部が設けられており、
前記第２基板には、前記厚み方向において前記図柄部と重なるように配置されたスイッチ電極が設けられている、タッチパネル装置。
【請求項５】
請求項４に記載のタッチパネル装置において、
前記複数の第１センサ電極は、前記第１材料からなる複数の細線が互いに交差したメッシュパターンにより構成されている、タッチパネル装置。
【発明の詳細な説明】
【技術分野】
【０００１】
本開示はタッチパネル装置に関するものである。
【背景技術】
【０００２】
従来から、タッチ操作を行うことが可能なタッチパネル装置に関し、例えば特許文献１に示されるものが知られている。
【０００３】
特許文献１には、パネル板と、粘着層を介してパネル板に貼り付けられたセンサ用シートと、を備えた静電容量式のタッチパネル装置が開示されている。センサ用シートは、電極領域および配線領域を含む透明フィルム基材と、電極領域に配置された透明電極部と、配線領域に配置された金属配線と、を有している。パネル板は、透明樹脂板と、透明樹脂板に設けられた遮光性を有する加飾層と、を有している。
【０００４】
加飾層は、パネル板において透明電極部に対応する位置を示すためのものであり、例えば印刷により加飾用インクを透明樹脂板の表面に塗布した層である。また、透明樹脂板の表面の一部には、光を透過する透光部が、加飾用インクが欠落した部分に形成されている（特許文献１の段落００２５および図４を参照）。
【先行技術文献】
【特許文献】
【０００５】
【特許文献１】特開２０１６−２１８９２２号公報
【発明の概要】
【発明が解決しようとする課題】
【０００６】
特許文献１のタッチパネル装置において、透光部は、文字、数字、図形、記号などの図柄を表した形状となっている。そして、センサ用シートの裏面側に配置した照光部から透光部に向かって光を照射することにより、透光部による図柄をパネル板の表面側（操作面側）から視認させることが可能となっている。
【０００７】
しかしながら、透光部は、印刷（例えばスクリーン印刷）により加飾層を形成するときに加飾用インクが欠落した部分として構成されていることから、例えば当該欠落部分の幅（線幅）を印刷によりミクロン単位で精度良く形成することができなかった。すなわち、透光部を、例えばミクロン単位の細線を複数用いて複雑な形状の図柄に形成することが困難であった。その結果、特許文献１のタッチパネル装置では、複雑な形状の図柄を発光表示させることができなかった。
【０００８】
本開示は斯かる点に鑑みてなされたものであり、その目的は、タッチパネル装置において複雑な形状の図柄を発光表示させることにある。
【課題を解決するための手段】
【０００９】
上記の目的を達成するために、本開示の一実施形態に係るタッチパネル装置は、光透過性を有するカバーガラスと、表面がカバーガラスの裏面と対向するように配置された透明性を有する基板と、基板に設けられた複数のセンサ電極と、基板の周縁部に設けられ、各々が複数のセンサ電極の各々と電気的に接続された複数の配線部と、基板の周縁部において複数の配線部と重ならない位置に配置された遮光層と、を備えている。複数の配線部および遮光層の各々は、導電性および遮光性を有する第１材料からなる。遮光層には、第１材料が欠落した部分に図柄状の図柄部が少なくとも１つ設けられている。そして、カバーガラスの周縁部には、半透光性を有する半透光部が設けられており、半透光部は、カバーガラスの厚み方向において図柄部と重なっていることを特徴とする。
【発明の効果】
【００１０】
本開示によると、タッチパネル装置において複雑な形状の図柄を発光表示させることができる。
【図面の簡単な説明】
【００１１】
【図１】図１は、本開示の実施形態に係るタッチパネル装置の全体斜視図である。
【図２】図２は、カバーガラスをタッチセンサに取り付ける前の状態を示す分解斜視図である。
【図３】図３は、カバーガラスの底面図である。
【図４】図４は、第１基板、第２基板、および粘着層の各構成を概略的に示す分解斜視図である。
【図５】図５は、第１基板の平面図である。
【図６】図６は、第２基板の平面図である。
【図７】図７は、図５のVII−VII線拡大断面図である。
【発明を実施するための形態】
【００１２】
以下、本開示の実施形態を図面に基づいて詳細に説明する。以下の実施形態の説明は、本質的に例示に過ぎず、本開示、その適用物或いはその用途を制限することを意図するものではない。
【００１３】
図１は、本開示の実施形態に係るタッチパネル装置１の全体を示している。このタッチパネル装置１は、タッチ操作が可能なセンサ型入力装置である。タッチパネル装置１は、例えばカーナビゲーション等の車載装置、パーソナルコンピュータのディスプレイ機器、携帯電話、携帯情報端末、携帯型ゲーム機、コピー機、券売機、現金自動預け払い機、時計などに対する入力装置として用いられる。
【００１４】
以下の説明において、後述するカバーガラス２の操作面が位置する側をタッチパネル装置１の「表側」とし、その反対側をタッチパネル装置１の「裏側」として、タッチパネル装置１を構成する各部材の位置関係を定めるものとする。
【００１５】
ここで、図１では、後述する各図柄部２１が、図示しない照光部の光により操作面側から視認される状態を概略的に示している。図２および図４では、後述する各センサ電極１３および各スイッチ電極３０の図示を省略している。図５〜図７では、後述するカバーガラス２（仮想線を参照）を、後述する第１基板１１または第２基板１２に対して重ね合わせた状態を模式的に示している。そして、図３において、後述する加飾部３および半透光部４を区別して示すために、加飾部３および半透光部４のそれぞれに対して濃度が異なるドットのハッチングを付している。
【００１６】
（カバーガラス）
図１〜図３に示すように、タッチパネル装置１は、光透過性を有するカバーガラス２を備えている。カバーガラス２は、例えば平面視長方形の板状に形成されている。カバーガラス２は、後述する粘着層７（図４参照）を介して後述する第２基板１２の表面側に配置されている。
【００１７】
カバーガラス２における裏面２ｂの周縁部には、スクリーン印刷等により黒色等の暗色で略額縁状の加飾部３が形成されている。この加飾部３で囲まれた内部の矩形領域は、透光可能なビューエリアＶとなっている。すなわち、使用者は、ビューエリアＶを介して、図示しないディスプレイパネルからの視覚的情報を得ることができる。そして、ビューエリアＶに対応するカバーガラス２の表面２ａは、タッチ操作に伴い使用者の手指などが接触する操作面として構成されている。加飾部３には、後述の半透光部４を形成するために、加飾部３を構成する材料が欠落した部分が設けられている。
【００１８】
（フレキシブル配線板）
図１および図２に示すように、タッチパネル装置１には、フレキシブル配線板５が設けられている。フレキシブル配線板５は、柔軟性を有しかつ変形状態でもその電気的特性が変化しないように構成されている。フレキシブル配線板５は、例えばポリイミド（ＰＩ）、ポリエチレンテレフタレート（ＰＥＴ）、ポリエチレンナフタレート（ＰＥＮ）等の可撓性を有する絶縁フィルムからなる。フレキシブル配線板５は、その先端部が例えば異方導電性接着剤により後述する基板１０の表面側に固着されるようになっている。
【００１９】
（タッチセンサ）
図２に示すように、タッチパネル装置１は、静電容量式のタッチセンサ６を備えている。タッチセンサ６は、カバーガラス２の裏面２ｂと対向して配置されている。図４に示すように、タッチセンサ６は、粘着層７を介してカバーガラス２の裏面側に配置されている。
【００２０】
粘着層７は、光透過性を有している。粘着層７は、例えば光学用粘着剤（ＯＣＡ：Ｏｐｔｉｃａｌｌｙ  Ｃｌｅａｒ  ｐｒｅｓｓｕｒｅ−  ｓｅｎｓｉｔｉｖｅ  Ａｄｈｅｓｉｖｅ）が含有された透明光学粘着フィルムからなる。粘着層７の厚みとしては、５０〜１５０μｍであるのが好ましい。
【００２１】
（基板）
図４に示すように、タッチセンサ６は、２つの基板１０，１０を有している。この実施形態において、基板１０，１０は、カバーガラス２の厚み方向に積層配置された第１基板１１および第２基板１２からなる。第１および第２基板１１，１２の各々は、平面視で略長方形状となっている。第１および第２基板１１，１２は、各々が粘着層７を介して互いに張り合わされるように構成されている。
【００２２】
第１および第２基板１１，１２の各々は、透明性を有する樹脂材からなる。透明性を有する樹脂材としては、例えば、ＰＥＴ（ポリエチレンテレフタレート）、ポリカーボネート、ＣＯＰ（シクロオレフィンポリマー）、ＣＯＣ（シクロオレフィンコポリマー）のような樹脂材が挙げられる。
【００２３】
（センサ電極）
図５および図６に示すように、タッチセンサ６は、複数のセンサ電極１３，１３，…を有している。各センサ電極１３は、例えば、酸化インジウム錫（ＩＴＯ：Ｉｎｄｉｕｍ  Ｔｉｎ  Ｏｘｉｄｅ）や酸化錫等の光透過性を有する透明材からなる透明導電膜、または、各基板１０上において銅などの導電金属からなる細線をメッシュ状に配置したメッシュパターンとして構成されている。なお、上記細線の材料としては、上記導電金属に限られず、導電樹脂材であってもよい。
【００２４】
センサ電極１３，１３，…は、ビューエリアＶ内に配置されている。そして、タッチパネル装置１では、ビューエリアＶ内に位置するセンサ電極１３，１３，…を通じてカバーガラス２の表面２ａ（操作面）に接触した使用者の手指（検知対象物）によるタッチ操作の検知が可能となっている。すなわち、センサ電極１３，１３，…は、送信電極１４，１４，…（第１センサ電極）および受信電極１５，１５，…（第２センサ電極）により構成されている。
【００２５】
送信電極１４，１４，…は、図示しない駆動回路に接続されていて、この駆動回路により周囲に電界を放射するように構成されている。図５に示すように、送信電極１４，１４，…は、第１基板１１の表面側に配置されている。各送信電極１４は、平面視において第１基板１１の短辺方向に沿って略帯状に延びている。送信電極１４，１４，…は、第１基板１１の長辺方向に間隔をあけて配置されている。なお、各送信電極１４は、後述する第１材料からなる複数の細線が互いに交差したメッシュパターンにより構成されているのが好ましい。
【００２６】
受信電極１５，１５，…は、送信電極１４，１４，…から放射された電界を受信するように構成されている。図６に示すように、受信電極１５，１５，…は、第２基板１２の表面側に配置されている。各受信電極１５は、平面視において第２基板１２の長辺方向に沿って略帯状に延びている。受信電極１５，１５，…は、第２基板１２の短辺方向に間隔をあけて配置されている。なお、各受信電極１５についても、後述する第１材料からなる複数の細線が互いに交差したメッシュパターンにより構成されているのが好ましい。
【００２７】
（配線部）
図５および図６に示すように、タッチセンサ６は、複数の配線部１６，１６，…を備えている。配線部１６，１６，…は、センサ電極１３，１３，…を図示しない外部回路と電気的に接続するためのものである。配線部１６，１６，…は、導電性および遮光性を有する第１材料からなる。第１材料は、銅などの導電金属または導電樹脂材からなる。
【００２８】
配線部１６，１６，…は、各基板１０の周縁部（ビューエリアＶの外方）に配置されている。具体的に、配線部１６，１６，…は、カバーガラス２の表面２ａ側（操作面側）から見たときにカバーガラス２の加飾部３と重なる位置に配置されている。すなわち、配線部１６，１６，…は、加飾部３によりタッチパネル装置１の外側から視認できないようになっている。
【００２９】
本実施形態において、配線部１６，１６，…は、第１基板１１に設けられた複数の第１配線部１７，１７，…と、第２基板１２に設けられた複数の第２配線部１８，１８，…と、により構成されている。
【００３０】
図５に示すように、第１配線部１７，１７，…は、第１基板１１の表面に形成されている。各第１配線部１７の一端部は、各送信電極１４の端部と電気的に接続されている。また、各第１配線部１７の他端部は、フレキシブル配線板５と電気的に接続されている（図２参照）。
【００３１】
図６に示すように、第２配線部１８，１８，…は、第２基板１２の表面に形成されている。各第２配線部１８の一端部は、各受信電極１５の端部と電気的に接続されている。また、各第２配線部１８の他端部は、フレキシブル配線板５と電気的に接続されている（図２参照）。
【００３２】
（照光部）
図示しないが、タッチパネル装置１は、カバーガラス２に向かって光を照射可能な照光部を備えている。照光部は、例えば、ＬＥＤ、液晶パネル、有機ＥＬパネル（ＯＬＥＤパネル）などからなる。照光部は、第１基板１１の裏面側に配置されている。
【００３３】
（遮光層）
図４および図５に示すように、第１基板１１の表面側には、遮光層２０が設けられている。遮光層２０は、上記第１材料からなる。すなわち、遮光層２０は、第１配線部１７，１７，…と同じ材料により構成されている。
【００３４】
第１配線部１７，１７，…および遮光層２０は、いずれも第１材料からなることから、例えばエッチングにより同時に形成することが可能である。例えば、第１配線部１７，１７，…および遮光層２０は、第１材料からなる導電層を第１基板１１の表面に対してスパッタリング法などで形成しかつ導電層上にレジストパターンを形成した後に、エッチングにより該レジストパターンが形成されていない部分の上記導電層を除却することにより同時形成される。
【００３５】
遮光層２０は、ビューエリアＶの外側に配置されている。具体的に、遮光層２０は、第１配線部１７，１７，…と重ならないように第１基板１１の周縁部に配置されている。また、遮光層２０は、長辺が第１基板１１の短辺方向に沿って延びるような平面視略矩形状に形成されている。
【００３６】
（図柄部）
図２および図４に示すように、遮光層２０には、複数（図示例では５つ）の図柄部２１，２１，…が設けられている。図５にも示すように、図柄部２１，２１，…は、第１基板１１の周縁部において第１基板１１の短辺方向に沿って間隔をあけて配置されている。
【００３７】
図柄部２１，２１，…は、文字、図形、記号、またはこれらを結合したものの形状を表した図柄状に形成されている。この実施形態において、各図柄部２１は、建物の概略的な形状（すなわちホームボタンを模した形状）を表した図柄、曲線的な矢印の形状（すなわちリターンボタンを模した形状）を表した図柄、「＋」（プラス）の記号を表した図柄、「ＶＯＬ」の文字を表した図柄、および「−」（マイナス）の記号を表した図柄により構成されている。
【００３８】
図７に示すように、各図柄部２１は、遮光層２０において第１材料が欠落した部分に形成されている。具体的に、各図柄部２１は、例えばエッチングにより、配線部１６，１６，…および遮光層２０を形成するときに、遮光層２０において第１材料が除却された部分（上記レジストパターンが形成されていない部分）に第１基板１１の一部が露出するように形成されている。
【００３９】
（スイッチ電極）
図６に示すように、第２基板１２には、複数のスイッチ電極３０，３０，…が設けられている。各スイッチ電極３０は、厚み方向において各図柄部２１と重なるように配置されている。各スイッチ電極３０には、各図柄部２１に対応させた所定の機能が割り当てられている。なお、本実施形態では、「ＶＯＬ」の文字を表した図柄部２１に対応する位置にスイッチ電極が配置されていない。
【００４０】
各スイッチ電極３０は、第１スイッチ電極３１，３１，…および第２スイッチ電極３２，３２，…により構成されている。
【００４１】
各第１スイッチ電極３１は、図示しない駆動回路に接続されていて、この駆動回路により周囲に電界を放射するように構成されている。各第２スイッチ電極３２は、各第１スイッチ電極３１から放射された電界を受信するように構成されている。
【００４２】
第１および第２スイッチ電極３１，３２の各々は、平面視で略櫛形状に形成されている。第１および第２スイッチ電極３１，３２は、第２基板１２の長辺方向に沿って互いに間隔をあけて配置されている。第１および第２スイッチ電極３１，３２の各々には、第１材料からなる各第３配線部１９が電気的に接続されている。なお、第１および第２スイッチ電極３１，３２の形状としては、略櫛形状に限られず、種々の形状にすることが可能である。
【００４３】
（半透光部）
図１〜図３、および図７に示すように、カバーガラス２には、半透光性を有する半透光部４が設けられている。半透光部４は、カバーガラス２の裏面２ｂに形成されている。半透光部４は、加飾部３において加飾部３の構成材料が欠落した部分に対応する位置に形成されている。
【００４４】
半透光部４は、スモーク層により構成されているのが好ましい。スモーク層は、半透光性を有する暗色系の材料からなり、当該材料を例えばスモーク印刷によりカバーガラス２の裏面２ｂに形成した層である。このスモーク層により、上記照光部から光が照射されたときにはその光がカバーガラス２を透過する一方、上記照光部から光が照射されていないときにはタッチパネル装置１の内部がカバーガラス２の表面２ａから視認されないようになっている。
【００４５】
半透光部４は、長辺がカバーガラス２の短辺方向に沿って延びるような平面視略矩形状に形成されている。本実施形態では、平面視において半透光部４の外形が遮光層２０の外形と略一致している。
【００４６】
半透光部４は、その一部が図柄部２１，２１，…と厚み方向に重なるようにカバーガラス２の周縁部に配置されている（図７参照）。すなわち、カバーガラス２は、第１基板１１と重ね合わされた状態において半透光部４が図柄部２１，２１，…とカバーガラス２の厚み方向に重なるように構成されている。本実施形態では、１つの半透光部４が、第１基板１１の短辺方向に沿って並べられた図柄部２１，２１，…の全てと重なるように構成されている。
【００４７】
［実施形態の作用効果］
以上のように、本実施形態に係るタッチパネル装置１では、第１配線部１７，１７，…（複数の配線部１６，１６，…）および遮光層２０が導電性および遮光性を有する第１材料からなる。すなわち、第１配線部１７，１７，…および遮光層２０は、同じ材料により構成されている。このため、例えば、第１基板１１（基板１０）に第１材料からなる導電層を形成した後に、エッチングにより、第１配線部１７，１７，…および遮光層２０を同時に形成しかつ遮光層２０において第１材料が欠落した部分に図柄部２１，２１，…を形成することが可能となる。特に、エッチングによれば、例えば第１材料が欠落した部分の幅（線幅）をミクロン単位で精度良く形成することが容易となる。その結果、図柄部２１，２１，…を、例えばミクロン単位（５０μｍ程度）の細線を複数用いて複雑な形状の図柄に形成することが可能となる。そして、カバーガラス２の周縁部では、カバーガラス２の厚み方向において半透光性を有する半透光部４が図柄部２１，２１，…と重なっている。このため、上記照光部を第１基板１１の裏面側に配置した場合には、当該照光部から図柄部２１，２１，…に向かって光を照射することにより、各図柄部２１の図柄をカバーガラス２の表面２ａ側から視認させることが可能となる（図１を参照）。したがって、本実施形態に係るタッチパネル装置１では、複雑な形状の図柄を発光表示させることができる。
【００４８】
また、遮光性を有する暗色系の加飾部３が、カバーガラス２の周縁部において配線部１６，１６，…と厚み方向に重なっており、半透光部４が、加飾部３の構成材料が欠落した部分形成されている。かかる構成により、カバーガラス２の周縁部において、加飾部３により配線部１６，１６，…を隠しつつ、半透光部４により各図柄部２１の図柄のみをカバーガラス２の表面２ａ側に発光表示させることができる。
【００４９】
また、半透光部４は、カバーガラス２の表面２ａまたは裏面２ｂに形成された半透光性を有する暗色系のスモーク層により構成されている。このスモーク層によれば、照光部から各図柄部２１に向かって光を照射することにより各図柄部２１を発光表示させることができる一方、照光部による光の照射を止めることにより各図柄部２１が発光表示されずに半透光部４を暗色にすることが容易となる。
【００５０】
また、第１基板１１には遮光層２０および図柄部２１，２１，…が設けられており、第２基板１２にはカバーガラス２の厚み方向において図柄部２１，２１，…と重なるように配置されたスイッチ電極３０，３０，…が設けられている。かかる構成によれば、カバーガラス２の表面２ａ（操作面）において発光表示された各図柄部２１の位置に使用者の手指などが接触することにより、該図柄部２１と重なるスイッチ電極３０が反応する。これにより、使用者は、各図柄部２１から想起される所望の入力操作を行うことができる。
【００５１】
また、第１センサ電極１４，１４，…は、第１材料からなる複数の細線が互いに交差したメッシュパターンにより構成されている。すなわち、第１センサ電極１４，１４，…は、第１配線部１７，１７，…および遮光層２０と同じ第１材料により構成されている。このため、例えばエッチングにより、第１センサ電極１４，１４，…、第１配線部１７，１７，…、遮光層２０、および図柄部２１，２１，…を同時に形成することができる。
【００５２】
［その他の実施形態］
上記実施形態では、加飾部３および半透光部４をカバーガラス２の裏面２ｂに形成した形態を示したが、この形態に限られない。すなわち、加飾部３および半透光部４をカバーガラス２の表面２ａに形成してもよい。
【００５３】
また、上記実施形態では、タッチセンサ６が２つの基板１０，１０（第１基板１１および第２基板１２）を有する形態を示したが、この形態に限られない。すなわち、タッチセンサ６が１つの基板１０（例えば第２基板１２）のみを有する形態としてもよい。例えば、各送信電極１４および各第１配線部１７を、第２基板１２の裏面側に形成してもよい。あるいは、各送信電極１４および各第１配線部１７と、各受信電極１５および各第２配線部１８とを、１つの基板１０の同一面側において互いに絶縁性を保った状態で配置してもよい。
【００５４】
また、上記実施形態では、遮光層２０を、図５の紙面左側に位置する第１基板１１の周縁部に配置した形態を示したが、この形態に限られない。すなわち、ビューエリアＶの外側となる第１基板１１の周縁部であれば、遮光層２０を適宜の位置に配置することが可能である。
【００５５】
また、上記実施形態では、複数の図柄部２１，２１，…を設けた形態を示したが、この形態に限られない。すなわち、少なくとも１つの図柄部２１が遮光層２０に設けられていればよい。
【００５６】
また、上記実施形態では、平面視において半透光部４の外形を遮光層２０の外形と略一致させた形態を示したが、この形態に限られない。例えば、半透光部４の外形を、遮光層２０の外形よりも小さくなるように形成してもよい。要は、半透光部４が、各図柄部２１と厚み方向に重なりかつ各図柄部２１を発光表示させることが可能となるような外形を有していればよい。
【００５７】
また、上記実施形態では、１つの半透光部４を、複数の図柄部２１，２１，…の全てと重なるように形成した形態を示したが、この形態に限られない。例えば、半透光部４が複数設けられていて、複数の半透光部４の各々と各図柄部２１とが互いに重なるような形態であってもよい。
【００５８】
また、上記実施形態では、遮光層２０および図柄部２１，２１，…を第１基板１１に設ける一方、スイッチ電極３０，３０，…を第２基板１２に設けた形態を示したが、この形態に限られない。すなわち、遮光層２０および図柄部２１，２１，…を第２基板１２に設けかつスイッチ電極３０，３０，…を第１基板１１に設けた形態としてもよい。
【００５９】
以上、本開示についての実施形態を説明したが、本開示は上述の実施形態のみに限定されず、本開示の範囲内で種々の変更が可能である。
【産業上の利用可能性】
【００６０】
本開示は、タッチ操作が可能なタッチパネル装置として産業上の利用が可能である。
【符号の説明】
【００６１】
１：タッチパネル装置
２：カバーガラス
３：加飾部
４：半透光部
５：フレキシブル配線板
６：タッチセンサ
７：粘着層
１０：基板
１１：第１基板
１２：第２基板
１３：センサ電極
１４：送信電極（第１センサ電極）
１５：受信電極（第２センサ電極）
１６：配線部
１７：第１配線部
１８：第２配線部
１９：第３配線部
２０：遮光層
２１：図柄部
３０：スイッチ電極
３１：第１スイッチ電極
３２：第２スイッチ電極
Ｖ：ビューエリア
【図１】
2020173595.tif 000003
【図２】
2020173595.tif 000004
【図３】
2020173595.tif 000005
【図４】
2020173595.tif 000006
【図５】
2020173595.tif 000007
【図６】
2020173595.tif 000008
【図７】
2020173595.tif 000009